(57)【要約】      （修正有）【課題】良い熱放散性を持ち、効果的にＬＥＤランプの寿命を延長できる冷却ケースを提供する。【解決手段】ランプの外装１とランプシェード２を含み、ランプシェードは半球型であり、ランプシェードはランプ外装の下部にネジで繋がれ、ランプ外装の上部の表にネジ部１０１があり、ランプ外装の下部に凹状段差面があり、この段差面にアルミ製固定プレート３が設置され、アルミ製固定プレートの上に、複数個の突起３０１が設置され、突起の内側に円錐形の穴３０２が内蔵され、穴の断面積はランプシェードに向かう側で小さく、穴の孔壁にはシリコーン製のカバー３０３が設けられる。ランプシェードの上部はアルミ製固定プレートと当接し、突起の穴にセッティングされたＬＥＤランプの熱はアルミ製固定プレートを通して吸収される。【選択図】図１
0003191414.tif 000002
【実用新案登録請求の範囲】
【請求項１】
LEDランプの冷却ケースであり、その特徴は：ランプ外装とランプシェードを含み、前述したランプシェードは半球型であり、ランプシェードのネジ部はランプ外装の下部に繋ぎ、前述したランプ外装の上部の表にネジ部があり、前述したランプ外装の下部に凹状段差面があり、更に当段差面にアルミ製固定プレートが設置され、当アルミ製固定プレートの上に、複数個の突起が設置され、突起の内側に円錐形の穴が内蔵され、前述した穴のランプシェードに向かう側は断面積の小さい方であり、前述した穴の孔壁にシリコーン製のカバーがあり、前述したランプシェードはランプ外装のネジ部と連結した場合、前述したランプシェードの上部はアルミ製固定プレートと当たることを特徴とするLEDランプの冷却ケース。
【請求項２】
請求項１に記載のLEDランプの冷却ケースにおいて、その特徴は：前述したランプシェードは透明にしたガラスシェードであることを特徴とするLEDランプの冷却ケース。
【請求項３】
請求項１に記載のLEDランプの冷却ケースにおいて、その特徴は：前述したランプ外装の外部に冷却カバーが設置され、前述した冷却カバーにランプ外装とフィットするカバー本体、及びカバー本体の外部に溶接された冷却翼を含み、前述した冷却翼は複数枚があり、リング状に等距離で設置されることを特徴とするLEDランプの冷却ケース。
【請求項４】
請求項３記載のLEDランプの冷却ケースにおいて、その特徴は：前述した冷却カバーはアルミ合金で造られることを特徴とするLEDランプの冷却ケース。
【考案の詳細な説明】
【技術分野】
【０００１】
本実用新案はLEDランプの冷却ケースに関わる。
【背景技術】
【０００２】
既存の技術において、LEDランプはランプ外装のバックにあるヒートシンクと接触することによって冷却効果を果たしていて、冷却領域はランプのバックの面積や体積に制限される。よって、出力が高い場合、ランプの温度上昇が高く、LEDランプの堆積、コストと寿命を大きく影響した。同時に既存の技術におけるヒートシンクはランプ外装と一体化され、リサイクルができなく、実用性が低い。
【考案の概要】
【考案が解決しようとする課題】
【０００３】
本実用新案の解決したい技術課題とはLEDランプの冷却ケースを提供することである。本装置は良い熱放散性を持ち、効果的にLEDランプの寿命を延長できる。
【課題を解決するための手段】
【０００４】
上述した課題を解決する為、本実用新案は以下の技術案を採用する：
LEDランプの冷却ケースであり、ランプ外装とランプシェードを含み、前述したランプシェードは半球型であり、ランプシェードのネジ部はランプ外装の下部に繋ぎ、前述したランプ外装の上部の表にネジ部があり、前述したランプ外装の下部に凹状段差面があり、更に当段差面にアルミ製固定プレートが設置され、当アルミ製固定プレートの上に、複数個の突起が設置され、突起の内側に円錐形の穴が内蔵され、前述した穴のランプシェードに向かう側は断面積の小さい方であり、前述した穴の孔壁にシリコーン製のカバーがあり、前述したランプシェードはランプ外装のネジ部と連結した場合、前述したランプシェードの上部はアルミ製固定プレートと当たる。
【０００５】
最適な技術案として、前述したランプシェードは透明にしたガラスシェードである。
【０００６】
最適な技術案として、前述したランプ外装の外部に冷却カバーが設置され、前述した冷却カバーにランプ外装とフィットするカバー本体、及びカバー本体の外部に溶接された冷却翼を含む。前述した冷却翼は複数枚があり、リング状に等距離で設置される。
【０００７】
最適な技術案として、前述した冷却カバーはアルミ合金で造られる。
【考案の効果】
【０００８】
本実用新案の有益な効果は：使用する際、LEDランプを突起の穴にセッティングして、LEDランプに出された熱はアルミ製固定プレートを通して吸収され、従って、LEDランプの問題を削減し、LEDランプの寿命を延長させる。同時に本装置の製造は簡単で、使用及び取り付けも便利で、普及して利用することに適応する。
【図面の簡単な説明】
【０００９】
【図１】本実用新案の構造図である。
【図２】冷却カバーの構造図である。
【考案を実施するための形態】
【００１０】
図を添付して説明する。
より明白に本実用新案の実施例また既存技術における技術案を説明する為、以下では、実施例また既存技術の記述に必要とする図に対して、簡単な説明を行う。明らかに、以下の記述に現れる図は本実用新案の一部実施例であり、本技術分野の普通な技術者にとって、創造的な労働をしない前提で、これらの図に基づいて他の図を入手することができる。
【００１１】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１２】
図1と図２に示されたLEDランプの冷却ケースを参照して、それはランプ外装１とランプシェード２を含み、前述したランプシェード２は半球型であり、そのネジ部はランプ外装１の下部に繋ぎ、前述したランプ外装１の上部の表にネジ部101があり、前述したランプ外装１の下部に凹状段差面があり、更に当段差面にアルミ製固定プレート３が設置され、当アルミ製固定プレート３の上に、複数個の突起301が設置され、突起301の内側に円錐形の穴302が内蔵され、前述した穴302のランプシェード２に向かう側は断面積の小さい方であり、前述した穴302の孔壁にシリコーン製のカバー303があり、前述したランプシェード２はランプ外装１のネジ部と連結された場合、前述したランプシェード２の上部はアルミ製固定プレート３と当たる。
【００１３】
最適な技術案として、前述したランプシェード２は透明にしたガラスシェードである。
【００１４】
最適な技術案として、前述したランプ外装１の外部に冷却カバーが４設置され、前述した冷却カバー４にランプ外装１とフィットするカバー本体401、及びカバー本体401の外部に溶接された冷却翼402を含む。前述した冷却翼402は複数枚があり、リング状に等距離で設置される。
【００１５】
最適な技術案として、前述した冷却カバー４はアルミ合金で造られる。
【００１６】
本実用新案の有益な効果は：使用する際、LEDランプを突起の穴にセッティングして、LEDランプに出された熱はアルミ製固定プレートを通して吸収され、従って、LEDランプの問題を削減し、LEDランプの寿命を延長させる。同時に本装置の製造は簡単で、使用及び取り付けも便利で、普及して利用することに適応する。
【００１７】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した実用新案登録請求の範囲及び同等物によって定義される。
【符号の説明】
【００１８】
１  ランプ外装
２  ランプシェード
３  アルミ製固定プレート
４  冷却カバー
101  ネジ部
301  突起
302  穴
303  カバー
401  カバー本体
402  冷却翼
【図１】
0003191414.tif 000003
【図２】
0003191414.tif 000004